(57)【要約】【解決課題】一酸化窒素（ＮＯ）を哺乳動物の治療部位へ局所送達するための局所皮膚送達装置、例えばパッチに開する。【解決手段】パッチは３層、即ち、活性化ウィンドウを有するバッキング、リザーバとしての吸収材コア、及び皮膚に向いた接着層を有するＮＯ透過性膜とである。活性化前にウィンドウを通してＮＯドナーを装置中に適用する。活性化後にウィンドウを閉鎖し、ＮＯの分圧、溶解したＮＯの濃度を増加させるために、蓋およびバッキングはＮＯを透過性しない。治療する部分に接着層を用いてパッチを固定し、接着層は治療の間中、十分な接触を保証する。生成されたＮＯはパッチ内を移動し、ＮＯ透過性膜を通って治療部分へと漏出する。治療の対象によりパッチ放出曲線は様々であり、適宜選択される。【選択図】図４Ａ
2010522050.tif 000002
【特許請求の範囲】
【請求項１】
一酸化窒素に対して実質的に不透過性であり、送達装置中で一酸化窒素が放出される間の一酸化窒素濃度の損失を制限するように配置および構成されたバッキング層（１００）と、
治療される部位に向いている前記送達装置を利用する一酸化窒素透過性層（３００）と、
その中の一酸化窒素の分圧または濃度の増加により、前記一酸化窒素放出流体から放出される一酸化窒素が前記送達装置内で一酸化窒素透過性層（３００）を通って皮膚部分に向かうような方法で、その中に一酸化窒素を放出する流体を保持するように配置された、前記バッキング層（１００）と前記一酸化窒素透過性層（３００）との間の吸収層（２００）と、
を含む、局所一酸化窒素送達装置。
【請求項２】
前記バッキング層（１００）が、前記局所一酸化窒素送達装置における前記流体の一酸化窒素分圧または濃度の前記増加をもたらすように工夫されている、請求項１に記載の局所一酸化窒素送達装置。
【請求項３】
前記吸収層（２００）が、前記流体を吸収し、保持するように構成された、例えば、超吸収性粉末（ＳＡＰ）および／または超吸収性繊維（ＳＡＦ）等の超吸収性ポリマーのようなゲル化物質ゲルベースの吸収システムを含む、請求項１または２に記載の局所一酸化窒素送達装置。
【請求項４】
前記流体が、前記局所一酸化窒素送達装置中に含まれる一酸化窒素ドナー化合物からの一酸化窒素の放出を活性化するための活性化流体である、前記請求項のいずれか一項に記載の局所一酸化窒素送達装置。
【請求項５】
前記流体が、その使用時に前記局所一酸化窒素送達装置に適用される一酸化窒素放出流体である、請求項１、２または３に記載の局所一酸化窒素送達装置。
【請求項６】
前記吸収層（２００）が、流体段階においてその中に活性化流体および一酸化窒素ドナーを貯蔵し捕捉する流体リザーバを含む、請求項１に記載の局所一酸化窒素送達装置。
【請求項７】
前記流体リザーバが、その限度内で前記流体を封入するゲル化物質である、請求項６に記載の局所一酸化窒素送達装置。
【請求項８】
一酸化窒素が前記皮膚部分へ輸送されるように、前記吸収層（２００）が前記一酸化窒素透過性層（３００）と接触している、前記請求項のいずれか一項に記載の局所一酸化窒素送達装置。
【請求項９】
前記吸収層（２００）が、前記一酸化窒素透過性層（３００）に接着されている、請求項８に記載の局所一酸化窒素送達装置。
【請求項１０】
前記吸収層（２００）が完全に濡れている、前記請求項のいずれか一項に記載の局所一酸化窒素送達装置。
【請求項１１】
前記吸収層（２００）が、６０％超、例えば８０％または９０％超の流体含有量を含む、請求項１０に記載の局所一酸化窒素送達装置。
【請求項１２】
前記一酸化窒素透過性層（３００）が、気体状一酸化窒素または溶解した一酸化窒素について選択的に透過性の膜であり、これにより前記局所一酸化窒素送達装置の内部で放出された一酸化窒素が前記皮膚部分に向けられる、前記請求項のいずれか一項に記載の局所一酸化窒素送達装置。
【請求項１３】
前記一酸化窒素透過性層（３００）が、前記局所一酸化窒素送達装置中の一酸化窒素生成システムに応じて選択される、請求項１２に記載の局所一酸化窒素送達装置。
【請求項１４】
前記一酸化窒素透過性層（３００）が、流体輸送を許容する不織または多孔性材料の膜である、請求項１３に記載の局所一酸化窒素送達装置。
【請求項１５】
前記一酸化窒素透過性層（３００）が高水蒸気伝達率（ＭＶＴＲ）物質で作られている、例えば微孔性膜またはモノリシック構造の部分的に親水性のブロックポリマー膜である、請求項１３に記載の局所一酸化窒素送達装置。
【請求項１６】
前記一酸化窒素透過性層（３００）が、中または低ＭＶＴＲ物質で作られている、請求項１３に記載の局所一酸化窒素送達装置。
【請求項１７】
前記一酸化窒素透過性層（３００）が、一酸化窒素ガスについて単に透過性である、請求項１３に記載の局所一酸化窒素送達装置。
【請求項１８】
前記一酸化窒素透過性層（３００）が、一酸化窒素について十分な透過性を有するシリコーン、コポリエステル、ＥＶＡ、ＰＴＦＥ、またはＰＵＲで作られている、請求項１３に記載の局所一酸化窒素送達装置。
【請求項１９】
前記一酸化窒素透過性層（３００）が、一酸化窒素分子について選択的に透過性であり、したがって、前記一酸化窒素透過性層（３００）が、一酸化窒素の移動中に一酸化窒素ドナー化合物が前記一酸化窒素透過性層（３００）を通って移動するのを防止する保護バリアである、請求項１に記載の局所一酸化窒素送達装置。
【請求項２０】
前記一酸化窒素透過性層（３００）が皮膚接触増進層を含み、皮膚接触増進層に隣接して配置されているか、または固有の皮膚接触増進特性を有し、一酸化窒素について透過性であるので、使用に際して十分な皮膚接触をもたらす、前記請求項のいずれか一項に記載の局所一酸化窒素送達装置。
【請求項２１】
前記皮膚接触増進層が、使用に際して前記増進層との間に良好な接触をもたらし前記一酸化窒素透過性層（３００）と前記皮膚部分との間に良好な接触をもたらす接着層、例えばシリコーンゲル層、粘着剤（ＰＳＡ）、またはヒドロゲル層である、請求項２０に記載の局所一酸化窒素送達装置。
【請求項２２】
活性化流体を受容し、前記活性化流体を前記一酸化窒素ドナー化合物へと向かわせて、使用中の前記活性化流体が前記吸収材層（２００）中に適用される前に、前記一酸化窒素ドナー化合物を溶解するように配置された、一酸化窒素ドナー化合物を含む流体方向付システムを含む、請求項１に記載の局所一酸化窒素送達装置。
【請求項２３】
前記流体方向付システムが分散システムの形態であり、前記活性化流体を受容するための少なくとも１つの流体接続口をさらに含む、請求項２２に記載の局所一酸化窒素送達装置。
【請求項２４】
一酸化窒素ドナー化合物および／または活性化流体を使用前に前記装置から分離して貯蔵する、請求項１に記載の局所一酸化窒素送達装置。
【請求項２５】
無水、無酸素、および／または光不透過性であるパッケージを含む、請求項１または２４に記載の局所一酸化窒素送達装置。
【請求項２６】
前記バッキング層（１００）が密封的に再閉鎖可能であるか、または閉鎖可能な開口部、例えば活性化ウィンドウを含む、請求項１に記載の局所一酸化窒素送達装置。
【請求項２７】
前記吸収材層の少なくとも一部が前記開口部を通して交換可能である、請求項２６に記載の局所一酸化窒素送達装置。
【請求項２８】
前記装置中への流体進入が前記開口部または流体連通口により提供される、請求項２６に記載の局所一酸化窒素送達装置。
【請求項２９】
前記装置が０．０１〜１００μｍｏｌ／（ｃｍ２分）、例えば０．１μｍｏｌ／（ｃｍ２分）の、または０．００１〜１０μｍｏｌ／（ｃｍ２分）、例えば０．０５μｍｏｌ／（ｃｍ２分）の一酸化窒素投与レベルを提供するように構成された、前記請求項のいずれか一項に記載の局所一酸化窒素送達装置。
【請求項３０】
前記装置が、０．０１〜１０ｍｇ／ｃｍ２、例えば０．１ｍｇ／ｃｍ２、または０．２ｍｇ／ｃｍ２の範囲の一酸化窒素ドナー化合物量を含む、前記請求項のいずれか一項に記載の局所一酸化窒素送達装置。
【請求項３１】
請求項１から３１のいずれか一項に記載の局所一酸化窒素送達装置を含むキットであって、
一酸化窒素ドナー化合物および活性化流体用の別の容器をさらに含み、前記一酸化窒素ドナー化合物および前記活性化流体が取り外し可能なシールで互いに分離されているので、前記一酸化窒素ドナー化合物および前記活性化流体を、その使用に際して前記装置へ移す前に混合可能である、キット。
【請求項３２】
一酸化窒素に対して実質的に不透過性であり、医薬における一酸化窒素の放出の間の一酸化窒素濃度の損失を制限するように配置および構成されたバッキング層（１００）と、
治療される部分に向いている医薬を利用する一酸化窒素透過性層（３００）と、
その中の一酸化窒素の分圧または濃度の増加により、一酸化窒素放出流体から放出される一酸化窒素が送達装置内で一酸化窒素透過性層（３００）を通って皮膚部分へ向けられるような方法でその中に一酸化窒素放出流体を保持するように配置された、前記バッキング層（１００）と前記一酸化窒素透過性層（３００）との間の吸収層（２００）と
を含む医薬の製造における一酸化窒素の使用。
【請求項３３】
一酸化窒素を局所送達する方法であって、
請求項１から３１のいずれか一項に記載の一酸化窒素送達装置中の一酸化窒素ドナーシステムからの一酸化窒素放出を活性化することと、
活性化した前記一酸化窒素送達装置を身体の皮膚部分と接触させて配置し、前記送達装置の一酸化窒素透過性層（３００）を前記皮膚部分に向けることと、
前記一酸化窒素送達装置から前記皮膚部分へ前記一酸化窒素透過性層（３００）を介して局所的に一酸化窒素を送達することと、
を含み、
前記一酸化窒素透過性層（３００）の透過性を前記一酸化窒素ドナーシステムの毒性レベルに応じて選択的に選択する、方法。
【請求項３４】
一酸化窒素の前記送達のために、前記一酸化窒素送達装置中の溶解した一酸化窒素の分圧および濃度が増加するように、前記一酸化窒素ドナーシステムから前記一酸化窒素を放出することを含む、請求項３３に記載の方法。
【請求項３５】
一酸化窒素について透過性である皮膚接触増進層を用いて前記皮膚部分に前記一酸化窒素送達装置を固定することを含む、請求項３４に記載の方法。
【請求項３６】
前記一酸化窒素ドナーシステムが、前記一酸化窒素ドナーシステムの一酸化窒素ドナー化合物と相互作用し、前記一酸化窒素ドナー化合物がパッチから外へ移動するのを最小限に抑えることを保証し、その中で沈殿した後の前記一酸化窒素ドナー化合物の残留物を捕捉する吸収材ユニットを含む、請求項３４に記載の方法。
【請求項３７】
前記一酸化窒素ドナーシステムが、一酸化窒素を連続して放出するために一酸化窒素ドナー化合物を活性化システムと連続して接触させる吸収材ユニットを含む、請求項３４に記載の方法。
【請求項３８】
請求項３３に記載の方法にしたがって一酸化窒素を送達することを含む治療方法であって、
前記皮膚部分が治療部位、例えば末梢神経障害、糖尿病性潰瘍、創傷、皮膚感染、カビによる皮膚攻撃、例えば爪甲真菌症、混合皮膚感染、および／またはウィルス攻撃、例えばいぼの部位である、方法。
【請求項３９】
請求項３３に記載の方法にしたがって一酸化窒素を送達することを含む美容整形の方法であって、前記皮膚部分が美容整形部位、例えば前記一酸化窒素により軽減される瘢痕の部位、または前記一酸化窒素により隆起される、たるんだ皮膚もしくはシワの部位である、方法。
【発明の詳細な説明】
【技術分野】
【０００１】
本発明は一般に、局所治療のための局所送達装置の分野に関する。さらに詳細には、本発明は一酸化窒素（ＮＯ）を哺乳動物の治療部位に局所送達するための局所皮膚送達装置、例えばパッチに関する。
【背景技術】
【０００２】
多くの疾患の局所治療のために様々な化合物および送達装置が知られている。
【０００３】
例えば、Ａｌｚａ  Ｃｏｒｐｏｒａｔｉｏｎの米国特許第４７８１９２４号は、薬剤投与の開始を遅らせる、治療薬の拡散薬物送達システムを開示している。水分はシステムを活性化させ、これにより薬物は皮膚または粘膜を通した吸収に適した形態に変換される。開示されている活性化薬物の形態は、遊離酸、遊離塩基およびエステルだけである。さらに、開示されたシステムの膜は特定の成分の選択的透過を提供せず、したがって水および水溶性化合物、ならびに変換プロセスの残りの生成物は膜を通って使用者の皮膚中に浸透し得る。これは、使用者側に対して望ましくない副作用につながる可能性がある。
【０００４】
多くの疾患の局所治療のために一酸化窒素（ＮＯ）を生じる特定の化合物が知られている。Ａｋｒｏｎ大学の国際公開広報第ＷＯ２００６／０５８３１８号は局所一酸化窒素送達システムに関し、様々な疾患状態を緩和または軽減するための同システムの使用に関する。パッチシステムは国際公開広報第ＷＯ２００６／０５８３１８号に開示されているが、バッキングまたは使用者の皮膚に向いた配置に関するパッチの設計についての詳細は開示されていない。パッチは繊維状成分を含み、この成分は、水分または水により活性化される一酸化窒素放出剤を含む。加えて、このような装置を貯蔵することが望ましいならば、貯蔵中にパッチからＮＯが早期に放出されないことを確実にするために、例えば無水、無酸素および暗所貯蔵を確実にすることによるなどの特別な手段が必要である。実際、国際公開広報第ＷＯ２００６／０５８３１８号で言及されている物質の多くは通常、パッチ中に含まれるＮＯドナーからの早期ＮＯ放出を開始させるために十分な水分を含む。したがって、このようなパッチの貯蔵期間は非常に限定される。さらに、国際公開広報第ＷＯ２００６／０５８３１８号で開示されているＮＯドナー自体と、開示された酸アクチベーターとは、その両方が皮膚に対して刺激性である可能性があり、このことはパッチには不都合である。国際公開広報第ＷＯ２００６／０５８３１８号ではこれらの成分の皮膚接触を回避する方法に関する方策が開示されていない。
【０００５】
Ｐｒｏｃｔｅｒ＆Ｇａｍｂｌｅの国際公開広報第ＷＯ２００３／００００８８号は、薬品注入装置を開示し、この装置では活性化合物を含む流体が第１チャンバ中で装置の残りから隔離されている。第１チャンバの破壊可能なシールを破ると、活性化合物が第２チャンバへ放出され、ここから化合物は透過性層を通って放出される。つまり、国際公開広報第ＷＯ２００３／００００８８号においては、２つの連続したチャンバからの２段階の放出が記載されている。しかし、この装置は、乾燥状態、無酸素状態、または暗所で貯蔵する必要があり、水分または流体により活性化される化合物には適さない。国際公開広報第ＷＯ２００３／００００８８号の装置中で貯蔵される化合物は、貯蔵中にすでに活性化された状態にあり、特定の方法でのみ放出される。さらに、気体状活性化合物については言及されていない。
【０００６】
要するに、治療のためにＮＯを生じる既知の化合物を適用することは今まで非実際的に複雑で、時間がかかるものであった。加えて、ＮＯを生じるシステムの多くは、例えば湿気、酸素、および光に対して非常に敏感であり、特別な条件下で貯蔵しなければならない。このことにより、有利な産業上の利用可能性を可能にする貯蔵寿命を有する製品中にＮＯドナーを組み入れることは非常に困難になる。
【０００７】
さらに、既知の装置は、ＮＯドナーからのＮＯの局所または経皮送達に関して多くの欠点を示す。
【０００８】
したがって、ＮＯの局所適用のための改善されたシステムまたは装置が有利であり、特に、例えば増大した柔軟性、費用対効果、貯蔵時間、使用の利便性、患者に対する適合性、治療の有効性、および／または患者の安全性のうちの１つ以上を可能にする局所経皮送達システムが有利である。
【先行技術文献】
【特許文献】
【０００９】
【特許文献１】米国特許第４７８１９２４号
【特許文献２】国際公開広報第ＷＯ２００６／０５８３１８号
【特許文献３】国際公開広報第ＷＯ２００３／００００８８号
【発明の概要】
【発明が解決しようとする課題】
【００１０】
したがって、本発明の実施形態は、好ましくは添付の特許請求の範囲にしたがって、局所パッチ、皮膚用一酸化窒素放出システム、治療法、および有利な治療を可能にする美容整形方法を提供することにより、当該分野における１つ以上の欠陥、欠点または課題、例えば前記のものの単独またはいずれかの組み合わせを緩和、軽減または除去することを目的とする。
【課題を解決するための手段】
【００１１】
本発明のいくつかの実施形態にしたがって、ＮＯを治療部位に向けて溶出させる局所装置を提供する。本発明のいくつかの実施形態によると、装置中の吸収物質はＮＯドナー化合物を含み、装置から望ましくない成分の漏出が起こるのを確実に最小にする。
【００１２】
本発明の第１の態様にしたがって、局所一酸化窒素送達装置を提供する。この装置は、一酸化窒素に対して実質的に不透過性であり、送達装置において一酸化窒素が放出される間の一酸化窒素濃度の損失を限定するように配置および構成されたバッキング層と、治療される部分に向いた送達装置を利用する一酸化窒素透過性層と、その中での一酸化窒素の分圧または濃度の増加により、前記一酸化窒素を放出流体から放出される一酸化窒素が、送達装置内で一酸化窒素透過層を通って皮膚部分へと向けられるような方法で、その中に一酸化窒素を放出する流体を保持するように配置された、バッキング層と前記一酸化窒素透過性層との間の吸収層とを含む。
【００１３】
本発明の第２の態様にしたがって、本発明の第１の態様の局所一酸化窒素送達装置を含むキットを提供する。このキットは、一酸化窒素ドナー化合物および活性化流体用の別個の容器をさらに含み、前記一酸化窒素ドナー化合物および前記活性化流体は取り外し可能なシールで互いに分離されているため、前記一酸化窒素ドナー化合物および前記活性化流体は、その使用に際して前記装置に移される前に混合可能である。
【００１４】
本発明の別の態様にしたがって、医薬の製造における一酸化窒素の使用を提供し、この使用は、一酸化窒素に対して実質的に不透過性であり、医薬中で一酸化窒素が放出される間の一酸化窒素の損失を制限するように配置および構成されたバッキング層と、治療される部分に向かって配置された医薬を利用する一酸化窒素透過性層と、前記バッキング層と前記一酸化窒素透過性層との間にあり、その中の一酸化窒素の分圧または濃度の増加により、前記一酸化窒素放出流体から放出される一酸化窒素が、送達装置内で一酸化窒素透過性層を通って皮膚部分へ向けられるような方法で、その中に一酸化窒素を放出する流体を保持するように配置された、吸収層とを含む。
【００１５】
本発明の別の態様にしたがって、一酸化窒素の局所送達方法を提供する。この方法は、本発明の第１の態様の一酸化窒素送達装置において、一酸化窒素ドナーシステムからの一酸化窒素放出を活性化することと、活性化した一酸化窒素送達装置を身体の皮膚部分と接触させて配置し、この送達装置の一酸化窒素透過性層が前記皮膚部分に向けることと、一酸化窒素を前記一酸化窒素送達装置から前記皮膚部分へと前記一酸化窒素透過性層を通して局所的に送達することとを含み、ここで前記一酸化窒素透過性層の透過性は、前記一酸化窒素ドナーシステムの毒性レベルに応じて選択的に選択される。
【００１６】
本発明のさらに別の態様にしたがって、治療方法を提供し、この方法は本発明の前記態様にしたがって一酸化窒素を治療部位、例えば末梢神経障害、糖尿病性潰瘍、創傷、皮膚感染、カビによる皮膚攻撃、例えば爪甲真菌症、混合皮膚感染、および／またはウィルス攻撃、例えばいぼの部位に送達することを含む。
【００１７】
本発明のさらなる態様にしたがって、化粧方法を提供する。この化粧方法は、本発明の前記態様にしたがって一酸化窒素を美容整形部位、例えば前記一酸化窒素により軽減される瘢痕部位、または前記一酸化窒素により隆起されるたるんだ皮膚もしくはシワ部位に送達することを含む。
【００１８】
本発明の第２の態様およびそれに続く態様の特徴は、必要な変更を加えれば第１の態様と同様である。
【００１９】
本発明のさらなる実施形態は従属請求項において定義される。
【００２０】
本発明のいくつかの実施形態は、患者に優しくて便利な、皮膚部分への一酸化窒素の送達を提供する。
【００２１】
「含む／含んでいる」という用語は、本明細書において用いられる場合、記載された特徴、整数、工程または成分の存在を指定すると解釈されるが、１つ以上の他の特徴、整数、工程、成分またはこれらの群の存在または追加を排除するものではないことが強調される。
【図面の簡単な説明】
【００２２】
本発明のどの実施形態が可能であるかのこれらおよび他の態様、特徴および利点は、添付の図面を参照して、本発明の実施形態の以下の記載から明らかであり、説明される。
【図１】多層構造を有する局所パッチの概略図である。
【図２Ａ】様々なＮＯ透過性層を有するパッチの実施形態の断面図である。
【図２Ｂ】様々なＮＯ透過性層を有するパッチの実施形態の断面図である。
【図２Ｃ】様々なＮＯ透過性層を有するパッチの実施形態の断面図である。
【図２Ｄ】様々なＮＯ透過性層を有するパッチの実施形態の断面図である。
【図３Ａ】ＮＯ不透過性バッキング層の様々な配置を有するさらに別のパッチの実施形態の断面図である。
【図３Ｂ】ＮＯ不透過性バッキング層の様々な配置を有するさらに別のパッチの実施形態の断面図である。
【図３Ｃ】ＮＯ不透過性バッキング層の様々な配置を有するさらに別のパッチの実施形態の断面図である。
【図４Ａ】活性化の間に流体がパッチ内部に進入することを可能にする、密閉可能なバッキングを有するパッチの斜視図である。
【図４Ｂ】図４Ａに示すパッチの断面図である。
【図５】多層構造を有する局所パッチの概略図である。
【図６Ａ】パッチシステム内部への進入口を有するパッチの斜視図である。
【図６Ｂ】図６Ａに示すパッチの断面図である。
【図７Ａ】使用中にパッチシステム成分の交換を可能にする、再密閉可能なバッキングを有するパッチの斜視図である。
【図７Ｂ】図７Ａに示すパッチ、ならびにパッチシステムの交換成分を含むさらに別のパッチシステム成分の断面図である。
【図８】破壊可能なレセプタクル中にＮＯドナー成分および活性化流体を含むパッチシステム成分の概略図である。
【図９】多重区画配置中にＮＯドナー成分および活性化剤を含むパッチシステム成分の概略図である。
【図１０】ＮＯドナー成分および活性化剤をボトルの多重区画配置中に含むパッチシステム成分の概略図である。
【図１１Ａ】ＮＯドナー成分および放出活性化流体を混合する前の、図９のパッチおよびパッチシステム成分を含むパッチシステムの斜視図である。
【図１１Ｂ】ＮＯドナー成分および放出活性化流体を混合し、パッチに活性化混合物を充填した後の、図１１Ａのパッチシステムの斜視図である。
【図１２Ａ】ＮＯドナー成分および活性化剤を多重区画配置中に含む、さらに別のパッチシステムの斜視図である。
【図１２Ｂ】図１２Ａにおいて示される線Ａ−Ａに沿ったパッチシステムの断面図である。
【図１３】ＮＯドナー成分および活性化剤を破壊可能な多重区画配置中に含む、さらに別のパッチシステムの斜視図である。
【図１４】多重区画を有するパッチの斜視図である。
【図１５】使用中にパッチが適用される皮膚へ、および皮膚からの流体の通路を有するパッチの斜視図である。
【発明を実施するための形態】
【００２３】
本発明の特定の実施形態を添付の図面を参照して説明する。しかし、本発明は多くの様々な形態で具体化でき、本明細書において記載した実施形態に限定されると解釈すべきではない。むしろ、本開示が徹底的かつ完全になるよう、そして本発明の範囲を当業者に十分に伝えるためにこれらの実施形態を提供する。添付の図面において説明される実施形態の詳細な記載において用いられる専門用語は、本発明を制限することを意図しない。図中、類似の番号は類似の要素をさす。
【００２４】
以下の記載は、局所パッチ、特にＮＯを放出する局所パッチに適用可能な本発明の実施形態に焦点を合わせる。しかし、本発明はこの用途に限定されず、例えばラップ、包帯などをはじめとする多くの他の送達装置に適用することができると理解されるであろう。
【００２５】
図１において示されるように、局所パッチ１の実施形態は、治療される部分に向けられたパッチを利用するＮＯ透過性層３００、例えば膜と、ＮＯ不透過性層１００、すなわちＮＯについて実質的に透過性でない層、例えば好適な不透過性膜またはフィルムとをバッキングとして含む層状構造を有する。これらの２つの層の間には、吸収またはリザーバ層２００が設けられ、吸収コアとも呼ばれる。この吸収コアは、漏れを最小限に抑え、ＮＯドナーのリザーバを提供するために流体保持システムの形態で提供することができる。
【００２６】
さらに以下で、ＮＯ透過性層３００、吸収層２００、およびＮＯ不透過性層１００のそれぞれに関して多くの実施形態を記載する。さらに、これらの層に隣接して配置された追加の層をいくつかの実施形態に関連して記載する。
【００２７】
吸収コアで提供されたＮＯドナーから、またはさらに具体的にはＮＯドナー化合物からのＮＯの放出または溶出を活性化する場合、放出されたＮＯはパッチ１内で拡散する。好適なＮＯ化合物のいくつかの実施形態をさらに以下で記載する。ＮＯは気体形態で提供することができるか、または液体中に溶解させることができる。拡散の方向は最低拡散抵抗の原理により制御される、すなわち拡散は最も妨害が少ない方向で起こるので、ＮＯは実質的にＮＯ透過性層３００を通って漏出するだけである。ＮＯ透過性層３００は例えば気体状ＮＯまたは溶解したＮＯについて選択的に透過性である膜である。したがって、パッチの使用において、パッチの内部で放出されたＮＯは、ＮＯ透過性膜を通ってパッチ使用者の皮膚へと向けられる。ＮＯ放出は治療部位を効果的に目標とする。
【００２８】
ＮＯ不透過性層１００
加えて、ＮＯ不透過性層１００は、患者から離れた方向に向けて、すなわちパッチの外面上に配置されて使用される間に、放出されたＮＯを皮膚に向かわせるだけでなく、パッチ内部のＮＯの分圧を増加させ、したがってその中に溶解したＮＯの濃度を増加させるのに寄与する。バッキング層としての働きをするＮＯ不透過性層１００、例えばＮＯについて不透過性である膜は、パッチ中でＮＯが生成される間の濃度の損失を制限するように配置および構成されており、少なくともＮＯ放出の初期段階中にＮＯ濃度または分圧を増加させる。このような方法で、バッキング層は例えばパッチ内の溶解したＮＯ量を確実に増加させることができる。加えて、バッキング層１００は流入口、例えばパッチの内部に進入するためのルアーロックポートを含み得る。
【００２９】
吸収層２００
吸収層２００、すなわち吸収コアは、パッチの使用中に複数の機能を有する。これは、ＮＯドナ−化合物からのＮＯの放出を活性化させる活性化流体を貯蔵し、保持する。さらに、吸収層２００はまたＮＯドナー化合物と相互作用して、パッチからのドナーの移動が最小であることを保証する。ＮＯ放出後にＮＯドナーが沈殿する場合、吸収材はこのような可能な残留物を効率的に捕捉し、封入する。吸収材システムのもう一つ別の有益な特性は、ＮＯドナーが活性化システムと継続して接触することを保証し、したがって連続したＮＯ放出を保証することである。
【００３０】
一つの実施形態において、吸収材コアは吸収システムの形態、例えば、超吸収性粉末（ＳＡＰ）および／または超吸収性繊維（ＳＡＦ）等の超吸収性ポリマーまたは同等のゲル化物質であって、流体を吸収し、保持するものにより得られるゲルベースのシステムの形態で提供される。例えばウィッキング、機械的強度などを提供するための当業者に公知の他の物質とともに、吸収成分を組み込むことができる。パッチの貯蔵寿命を向上させるために、ＮＯドナー化合物を使用前にＮＯ放出に関して活性化しない。このことは、ＮＯドナー化合物が不活性形態で配置されている場合でさえも、前記ゲルベースのシステムは貯蔵中に活性化されることを意味する。パッチ内で、使用前にＮＯドナー化合物を長期貯蔵の間ゲル形態で維持することはできない。従来技術にしたがってゲルならびに様々なリザーバ中で薬物を提供する場合、これは薬物を安定な形態で封入することに焦点を合わせたリザーバ中で薬物を恒久的に貯蔵するために行われる。このことは、パッチの使用に際したＮＯ放出の必要とされる目的の活性化とは対照的である。本出願のリザーバは、実際のＮＯ放出の間、ならびに活性化流体およびドナーの両方を流体段階中にこれらの物質を封入するリザーバ中に保存し、捕捉する場合に機能する。流体段階は、超吸収性ポリマーＳＡＰ／ＳＡＦまたはその限度内で流体を封入する同等のゲル化物質により得られるゲル構造であってよい。
【００３１】
治療される部分に対してＮＯ透過性である膜と吸収コアが良好に接触している場合にパッチからの有利なＮＯ輸送が得られる。このようにして、治療部位への良好なＮＯ輸送が保証される。これを得るための一つの方法は、吸収材をほぼ完全に濡らして、システム中に捕捉された流体が膜と密に接触するようにすることである。完全に濡らすことは、吸収材システムおよび／またはＮＯドナーシステムに依存して達成され、その６０％を越える流体含量の割合で、例えば８０％超、または９０％超の割合で達成することができる。もう一つの方法は、膜を吸収材上に接着することである。
【００３２】
吸収材コアに基づく前記ＮＯリザーバシステムは、パッチからのＮＯ放出が治療全体にわたって維持され、活性化流体およびＮＯドナーの両方がパッチ内に安全に封入されることを保証する。
【００３３】
パッチ中での有利なＮＯ生成およびゲルの使用の結果、ＮＯが液体段階で生じ、治療部位へ拡散するまでこの段階で維持されることを保証する。さらに、有毒である可能性があるＮＯドナー化合物自体をパッチ中に封入し、ＮＯドナーが皮膚と接触するのを回避する。加えて、特定の場合のＮＯドナーがＮＯ放出後または放出中に沈殿する場合、残留物は捕捉され、皮膚と接触することができない。
【００３４】
出願者等は、局所パッチの効率が、気体状ＮＯと比較して溶解したＮＯで増加することを見いだした。バッキングはパッチ内部でのＮＯ分圧増加に寄与し、したがって、その内部に溶解したＮＯの濃度を増加させるが、これは気体状ＮＯよりも効果的である。活性化前のＮＯドナーの分布も、局所的過飽和を最小限に抑え、これによりＮＯガス形成を最小限に抑えることにより、高いＮＯ濃度の可能性を増加させる。さらに、パッチからのＮＯ放出は、ＮＯ透過性膜と接触した流体に応じて、その流体含量の６０％超、例えば８０％超、または９０％超の吸収材コアの流体含有物の関連で最も有効である。
【００３５】
例えば米国特許第２００４／０００９２３８号に記載されているような純粋ガス治療は、送達ガス中、非常に高いＮＯ濃度、例えば２００ｐｐｍ以上のＮＯ濃度を必要とする。このような高い濃度は、例えば間違って吸入すると、使用者に危険であり得る。
【００３６】
他の好適なリザーバシステムを、すなわちマトリックス物質の吸収材コアだけでない、いくつかの実施形態に関して提供することができる。あるいは、流体、粘稠流体またはゲルもいくつかの実施形態において提供することができる。
【００３７】
ＮＯドナーシステム
パッチ中でＮＯを生成するためのＮＯドナーシステムのいくつかの実施形態は、Ｏ−ニトロシル化基、例えばジアゼニウムジオラート基、Ｓ−ニトロシル化基およびＯ−ニトロシル化基、またはこれらの任意の組み合わせを含むポリマーを含む化合物ベースであり得る。
【００３８】
一酸化窒素（ＮＯ）を溶出するポリマーは、ジアゼニウムジオラート基、Ｓ−ニトロシル化基、およびＯ−ニトロシル化基、またはこれらの任意の組み合わせを含み得る。
【００３９】
パッチ中でＮＯを生成するためのＮＯドナーシステムのいくつかの実施形態は、ＮＯＮＯａｔｅベースである。
【００４０】
ある実施形態は、ＮＯ送達のための亜硝酸塩／酸システムに関して提供され得る。
【００４１】
活性化流体はプロトンドナーを含み、制限なく、液体、例えば水、生理的緩衝液、および生理食塩水を含む。活性化流体は、局所送達用のＮＯ送達装置１中で、前記化合物などの一酸化窒素ドナーからの一酸化窒素の放出を活性化する。
【００４２】
ＮＯ透過性層３００
治療される部分に向けたパッチの使用において、ＮＯ透過性層３００、例えば膜は、ＮＯ、例えば溶解しているかまたは気体状ＮＯの、パッチから皮膚への拡散を調節するように工夫されている。したがって、ＮＯ透過性層３００は、パッチから使用者の皮膚へのＮＯ移動速度を調節するような構造である。
【００４３】
さらに、パッチ中のＮＯ生成システムに応じて膜を選択することができる。例えば、ＮＯ生成システムは、毒性、刺激性、もしくは非毒性であるＮＯドナー化合物または分解生成物を含み得る。ＮＯ透過性層３００をこのレベルの皮膚適合性に応じて選択することができる。すなわち、様々な膜が好適であり得る。このようにして、患者の快適性を維持しつつ、費用効果の高い方法でパッチを提供することができる。
【００４４】
ＮＯ透過性層３００を越えて良好な連通が許容される場合、例えばＮＯ生成システムが非毒性である場合、ＮＯ透過性層３００は、流体の輸送を許容する不織または多孔性物質の膜の形態で作製することができる。この場合、ＮＯ生成システムから放出されたＮＯを、流体中に溶解した状態で膜を越えて皮膚へと輸送することができる。
【００４５】
ＮＯ透過性層３００を越えて中程度の連通が許容される場合、例えばＮＯ生成システムが刺激性である場合、および活性化流体が水である場合、高い水蒸気伝達率（ＭＶＴＲ）物質、例えば微孔性膜またはモノリシック構造の部分的に親水性のブロックポリマー膜をいくつかの実施形態において提供することができる。このような膜の親水性部分を迅速に水で満たし、ＮＯを水中に溶解させた状態で膜を越えて輸送することができる。
【００４６】
ＮＯ透過性層３００を越えて低度の連通が許容される場合、例えばＮＯ生成システムの毒性が中程度ある場合、中程度ないし大きな成分がＮＯ透過性層３００を越えて移動することを妨害する必要がある。流体が水である場合、中／低ＭＶＴＲ物質を選択し、これをゆっくりと水で満たす。ＮＯは主に水とともに輸送される。
【００４７】
ＮＯ透過性層３００を越えた連通が許容されない場合、例えばＮＯ生成システムが有毒である場合、パッチシステムの内部をＮＯ生成システムに関して皮膚から完全に分離する必要がある。膜を越えて液体連通が許容されないようにＮＯ透過性層３００の材料を選択する。液体輸送は膜により完全に防止される。流体が水である場合、膜を越えた水の輸送を妨害するために、疎水性である少なくとも１つの層を膜中に提供する。この場合、ＮＯは水中に溶解した状態で疎水性層まで輸送される。水を保留する疎水性層から、ＮＯは水から疎水性層を通って皮膚へと向かって拡散する。
【００４８】
好適な膜材料は、流体または水の透過を選択的に提供するか、または提供しない構造および材料に応じて、シリコーン、コポリエステル、ＥＶＡ、ＰＴＦＥ、ならびに使用するために十分な透過性を有するＰＵＲである。
【００４９】
これまでの膜は、ＮＯよりもはるかに大きな分子で構成される物質に関して透過性であった。ＮＯ透過性層３００は一酸化窒素分子に関して選択的に透過性であるような構造である。このようにして、ＮＯ透過性層３００は、望ましくないＮＯドナー化合物成分がＮＯの輸送中にＮＯ透過性層３００を介して輸送されることを防止する有効な保護バリアを提供する。
【００５０】
したがって、ＮＯ透過性層３００は、パッチからのＮＯ放出を調節するだけでなく、例えば非毒性または非刺激性である場合に、許容された場合はＮＯドナー化合物またはこれらの成分が皮膚と接触するだけであることを保証する。Ｂｅｎｊａｍｉｎ等の米国特許第２００５１４２２１８号は、皮膚と酸性化剤との直接接触を防止しながら、非気体状硝酸イオンの拡散を許容する膜からなるバリアを開示している。米国特許第２００５１４２２１８号で開示されている膜は、したがって薬理学上許容される酸性化剤および薬理学上許容される亜硝酸イオン源または亜硝酸前駆体を含む。膜は、一酸化窒素イオンの通過に対して完全に透過性であってもよいし、あるいは部分的に透過性であってもよく、例えば半透性または選択的透過性であってよい。このような膜は、組成物の皮膚との直接接触を防止することができるが、一酸化窒素の皮膚中への拡散を許容し得る。このことは、米国特許第２００５１４２２１８号で開示されている膜が、ＮＯについて選択的に透過性でなく、ＮＯドナー化合物またはその成分が皮膚と接触しないように制御しないことを意味する。さらに、ＮＯの皮膚部位への直接的、効果的な適用は開示されていない。さらに、パッチ中への流体の進入は提供されていない。
【００５１】
ＮＯ透過性層３００、例えば膜の実施形態のさらなる有益な特性は、ＮＯドナー化合物の膜を通る輸送が最小限に抑えられることである。
【００５２】
皮膚接触増進剤
パッチ使用者の皮膚に向いたパッチの使用において、ＮＯ透過性層３００は、皮膚接触増進層を含み得るか、または隣接する皮膚接触増進層を配置するか、またはその固有の好適な特性により十分な皮膚接触特性をもたらすような接触増進特性を有し得る。
【００５３】
皮膚との接触は、接着層、例えばシリコーンゲル層、粘着剤（ＰＳＡ）、またはヒドロゲル層により増進することができる。皮膚接触増進層は膜と皮膚との間の良好な接触をもたらす。実施形態において、接着層は連続的であり、皮膚の凹凸を埋めるように構成されている。さらに、皮膚接触増進層は、パッチを皮膚に貼り付けるために十分な接着能を提供する。
【００５４】
皮膚接触増進層はＮＯについて透過性でなければならない。パッチの良好な皮膚接触および皮膚接触増進層を通るＮＯの十分な輸送はどちらも本明細書に記載される実施形態のパッチによりもたらされる。従来は、このような皮膚接触層を通るＮＯ輸送が問題であることは考慮されなかった。患者に優しく、パッチから使用者の皮膚へのＮＯの有効な放出を提供するために、皮膚増進層はＮＯについて十分透過性である必要がある。この問題は、皮膚接触層を、ＮＯ透過性膜の使用中に皮膚に向けられる側に貼り付けることにより解決できる。さらに以下で、ＮＯ透過性層３００を通る最適のＮＯ輸送および／または皮膚接触増進に適した物質および他の特性をさらに詳細に記載する。
【００５５】
いくつかの実施形態は、持続的療法のために繰り返し使用することができる皮膚接触層を含み、このような実施形態は、ある一定の使用時間後に、使用者の皮膚からパッチを除去せずに新しいものと交換することができる、吸収材交換システムを含む。
【００５６】
流体方向付システム
パッチのいくつかの実施形態は、ＮＯドナー化合物を含む流体方向付システムを含み得る。流体方向付システムは、活性化流体を受容し、この活性化流体をＮＯドナー化合物へと向かわせ、その際に、この活性化流体が吸収材コア中に適用する前にＮＯドナー化合物を溶解するように配列されている。いくつかの実施形態は、分散システムの形態の流体方向付システムならびに活性化流体を受容するためのパッチとの接続ポイントを含む。例えば、活性化流体を密封されたパッチ中に導入するための１つの注入ポイントを提供する。パッチ中に流体は前述のように吸収される。
【００５７】
パッチの貯蔵
いくつかの実施形態において、パッチシステム、または少なくともそのＮＯドナー化合物の安全な長期貯蔵を保証するための問題を、異なる成分を個別貯蔵することにより解決する。感受性ＮＯドナー化合物を装置内または装置から分離された別個の区画中で貯蔵することにより、必要なパラメータが確実に満たされる。ＮＯドナーに影響を及ぼし得る環境パラメータは、例えば水分、酸素、および光である。他方で、パッチシステムのいくつかの各成分の分離は、成分の統合を、簡単で使用者に優しくかつ効率的な方法で実施できるような設計に対して高い要求が課される。いくつかの実施形態において、この課題は、再密封可能であるか、または閉鎖可能な開口部、例えばパッチのバッキング中、すなわちパッチのＮＯ不透過性層中に設けられた活性化ウィンドウにより解決される。このような活性化ウィンドウにより、例えばＮＯ放出が減少してしまった場合に、吸収材コアの少なくとも一部の交換が可能になる。これは、皮膚に向いた膜を変えることなく、長期にわたってパッチからのＮＯ放出を持続させ、このことは、パッチを皮膚から取り外す回数が少ないことにより皮膚が受けるストレスが少ないので、好都合である。
【００５８】
加えて、いくつかの実施形態にしたがって、例えば流体連通口により、流体は装置中へ進入する。これにより、パッチを長期間、乾燥、無酸素および／または暗所条件下で貯蔵することが可能になり、その際に、適切な流体をこのような流体連通口からパッチ中に導入することにより、パッチからのＮＯ放出が活性化される。
【００５９】
いくつかの具体的な実施形態をさらに詳細に説明する。
【００６０】
局所パッチ
一酸化窒素を用いた治療または美容整形のための局所パッチシステムを、図２Ａ〜図２Ｄ、図３Ａ〜図３Ｃ、図４Ａおよび図４Ｂ、図６Ａおよび図６Ｂ、図７Ａおよび図７Ｂ、図１１Ａおよび図１１Ｂに示すような多くの実施形態において提供する。これらの実施形態の詳細を残りの図面により説明する。
【００６１】
図２Ａ〜図２Ｄは、固定されたバッキング層２０および吸収材コアまたはリザーバ２２（使用時に治療のためにＮＯがここから提供される）を有するパッチ２ａ〜２ｄの実施形態の断面図である。パッチ２ａ〜２ｄはパッチの患者側で様々な配置を有する。パッチ２ａ、２ｂ、および２ｃはＮＯ透過性膜層２４を含む。パッチ２ｄはＮＯ透過性ゲル２９を含む。パッチ２ｂは粘着剤（ＰＳＡ）皮膚接触増進層を含む。パッチ２ｃは皮膚接触増進層としての働きをするシリコーンゲル層２８を含む。パッチ２ｄはゲル膜２９を含む。
【００６２】
パッチ層２ａ〜２ｄを単に例示目的で別々に示す。集合したパッチ２ａ〜２ｄを、有効な局所ＮＯ適用機能が得られるような方法で層に密着させて提供する。パッチ２ａ〜２ｄは、層を互いに適切に貼り付けるために接着接合部または層（不図示）も含む。例えば、バッキング層２０を吸収材コアまたはリザーバ２２の周りの膜２４に接着させる。バッキング層２０も吸収材コアまたはリザーバ２２に接着させることができる。
【００６３】
パッチ２ａ〜２ｄは、貯蔵中に互いに適切に分離されたＮＯドナー化合物および活性化システムの両方を含む。例えば、ＮＯドナーと活性化流体と接触させるために使用時に破壊されるガラスアンプル中にＮＯドナー、例えば９０％を超える水で飽和させたＳＡＰ／ＳＡＦ吸収材コアを有することによるなど、好適な分離法を、例えば図８、９または１２を参照してさらに以下で記載する。
【００６４】
図３Ａ〜図３Ｃはさらなるパッチの実施形態の断面図であり、この図で吸収材コアもしくはリザーバ、またはバッキング層の変形例を示す。ＮＯ透過性膜層３３を有するパッチ３ａ〜３ｃを示す。図３Ａ〜図３Ｄにおいて破線で示すように、パッチ３ａ〜３ｃは追加もしくは代替の皮膚強化層、または組み合わせた皮膚強化層および膜、例えば図２Ａ〜図２Ｄに示されるもの、例えば透過性ゲル膜なども含み得る。図２Ａ〜図２Ｄのように、パッチ層３ａ〜３ｃを例示のためだけに別々に示す。パッチ３ａおよび３ｂはそれぞれバッキング層３１、３５を有し、これは吸収材コアまたはリザーバ３０へ進入し、ここから使用中にＮＯが治療のために提供される。パッチ３ａ〜３ｃは、吸収材コアまたはリザーバ３０中に組み入れられたＮＯドナー化合物を有してもよい。パッチの内部へ進入できるので、ＮＯドナー化合物からのＮＯ放出を活性化するためにパッチの内部中へ活性化流体を導入することができる。パッチ３ａには、不透過性バッキング３１中に、吸収材コアまたはリザーバ３０を含むパッチ３ａの内部中のパウチへの進入口３２が設けられている。パッチ３ａの内部と進入口３２を通る連通がもたらされる。進入口３２は、流体のみがパッチに流入し、漏れが回避されることを確実にする好適なユニット、例えば一方向フラップバルブを備えている。吸収材コア中に組み入れられているなど、その中に封入されているＮＯドナーからのＮＯの放出を活性化するために、進入口３２を通って活性化流体をパッチ３ａ中に導入することができる。活性化され、あらかじめ調製されたＮＯ放出流体も、進入口３２を通ってパッチ３ｃ中に導入し、ここからＮＯを放出させることができる。パッチ３ｂはバッキング層３５を含み、このバッキング層は吸収材コアまたはリザーバ３０へのアクセスを提供する。このようにして、進入口３２を通るなど、活性化流体または活性化ＮＯ放出流体のいずれかをパッチ３ｂ中に導入できる。流体をパッチ３ｂ中に導入した後に、バッキング層３５を密封する。例えば、蓋を閉める前に取り外される剥離ライナの下で、適切な接着剤をバッキング層３５のフラップの内部表面上に提供して、蓋を閉めた後にＮＯ不透過性バッキングが提供されるようにする。パッチ３ｃは、固定バッキング、ならびに分離されたＮＯドナー化合物および活性化流体のシステムを含み、このシステムは、ＮＯドナー化合物および活性化流体が、例えば中間の不透過性膜を取り除くことによるなどの外部作用により接触できるようになるような配置である。この種類のパッチのさらなる詳細を以下に記載する。
【００６５】
図４Ａは、閉鎖可能なバッキング層４０を有し、使用するためにパッチ４を準備中にパッチ内部への流体の進入を可能にするパッチ４の斜視図である。図４Ｂは、皮膚上に適用する前のパッチ４の様々な層および成分の配置を示すパッチ４の断面図である。
【００６６】
パッチ４の使用前に外部から進入可能である、吸収材コアまたはリザーバ４３への進入ウィンドウ。進入ウィンドウは、バッキング層４０と同じ材料および特性、すなわちＮＯ不透過性かつ柔軟性の中間層４２中に配置されている。使用に際して、ＮＯドナー化合物が吸収材コアまたはリザーバ４３中に提供されているか否かによって、活性化流体または活性化ＮＯ放出流体のいずれかをパッチ４の内部に導入する。ＮＯ放出が前述の方法で開始されると、閉鎖可能なバッキング層を閉鎖する。剥離ライナ４１をバッキング層４０上に剥離可能に配置し、中間層４２に取り付けられたバッキング層４０によりウィンドウを接着して閉鎖するために取り外す。このようにして、ＮＯ不透過性配置をパッチ４のバッキング側上に提供する。その際に、第２の剥離ライナ４６を皮膚接触増進層４５から取り外し、パッチ４を皮膚に適用し、その際にＮＯがパッチ４から皮膚へ提供される。
【００６７】
図５は、図４Ａの実施形態の多層構造５の概略図である。ＮＯ不透過性バッキング蓋５０をパッチの最上層上に配置する。剥離ライナ５１をバッキング蓋５０上に取り外し可能に配置する。ウィンドウ付バッキング５２を吸収材層５３の上面上に配置し、その下にはＮＯ透過性膜５４を配置し、続いて皮膚接触増進層５５および剥離ライナ５６を配置する。
【００６８】
図６Ａは、パッチ６の内部との流体連通を可能にする２つの進入口６６、６７を有するパッチ６の斜視図である。図６Ｂは、図６Ａに示されるパッチの断面図である。バッキング層６０はＮＯについて不透過性であり、ＮＯ透過性層６２は、パッチ６の患者側上に配置されている。吸収材コアまたはリザーバ６４は、進入口６６および／または進入口６７を通って流体を受容するために、パッチの内部に配置されている。吸収材コアまたはリザーバはエアレイド材料で作製することができる。進入口６６、６７は、例えばシリンジを都合よく接続するためのルアーロックシステムの形態であってよい。パッチ６中の流体の分布を制御するために、吸収材コアまたはリザーバ６４中、またはこれに隣接して流体案内システムを配置することができる。
【００６９】
図７Ａは、パッチシステムのパッチ７ａの斜視図である。図７Ｂは、パッチ７ａならびにパッチシステムの交換成分を含むさらなるパッチシステム成分７ｂの断面図である。パッチ７ａは、繰り返し密開閉可能なバッキングを含み、使用中のパッチシステム成分の交換が可能になる。さらに正確には、凹部７５を有するパッチ７ａを提供し、この凹部中には図７Ｂにおいて示すように、交換可能な吸収材コアまたはリザーバ８３が取り外し可能に配置されている。ＮＯ不透過性バッキング層７１は、ＮＯ透過性層またはその周りの辺縁部７４と結合するためにその辺縁部の周りに気密性が確かな、取り外し可能な接着剤７０を含む。さらなる安全確保および患者の快適性および使用者の適合性のために、マジックテープ（登録商標）７２、７６をパッチ７ａ上に設ける。パッチシステム成分７ｂは、その中でＮＯドナー化合物が交換可能な成分８３の形態で提供されているパッケージである。このパッケージは最上層８０を含む。最上層８０は貯蔵中に気密的に最下層８４に取り付けられており、最下層中には交換可能な成分８３が設置されている。最上層８０および最下層８４はどちらもＮＯ不透過性であり、交換可能な成分８３中でのＮＯドナー化合物の長期貯蔵に適合させられ、例えば気密性、真空、および光について不透過性にされている。パッケージング７ｂ上に閉鎖システム８２、８６が設けられている。交換可能な成分８３はパッチ７ａ中の凹部７５中に適合する。パッチ７ａに新しいＮＯドナーを再充填するために、交換可能な成分８３をパッチ７ａ中で新しいものと置換することができる。パッケージング７ｂ中、またはパッチ７ａ中のいずれかで、流体を交換可能な成分８３に添加することにより、ＮＯドナーからのＮＯの放出を活性化する。次いで、ＮＯについて不透過性となるような方法でバッキングの蓋を再度閉鎖し、パッチ７ａは連続使用できる状態になっている。
【００７０】
図８は、破壊可能なレセプタクル８７中にＮＯドナー８８を含む、密封されたバッグ８の形態のパッチシステム成分の概略図である。外力により、レセプタクル８７、例えばガラスバイアルを破壊し、ＮＯドナーをバッグ８中の周囲の活性化流体中に放出させる。このようにして、ＮＯドナーを活性化し、ＮＯ放出を開始する。アウトレット８９を通って、活性化した流体をパッチ、例えば図４Ａまたは図１１Ａに示すパッチに適用することができる。
【００７１】
図９は、多重区画装置９の別の区画中にＮＯドナー成分９２および活性化流体９１を含むパッチシステム成分の概略図である。装置９のハウジング９０の内部で、区画を例えばこの区画に対する外圧により破壊することができる。ＮＯドナー成分９２および活性化流体９１をこれらの区画からハウジング９０内部の周囲混合チャンバ中に放出させる。装置９を振とうすることにより混合を増進することができる。このようにしてのドナーからのＮＯ放出について活性化された流体を、流出口９３を通ってパッチに移すことができる。
【００７２】
図１０は、ボトル１０の多重区画配置中にＮＯドナー成分１０３および活性化剤１０１を含むパッチシステム成分の概略図である。ボトルは２つの区画を互いに対してねじることができるように配置され、この２つの区画間のシールが破れると、ＮＯドナー成分１０３と活性化剤１０１がボトル１０１中で流体接触するようになる。ボトル１０を振とうすることにより混合を増進できる。このようにして、ＮＯドナーからのＮＯ放出について活性化された流体を、流出口１０２を通ってボトルからパッチへと移すことができる。
【００７３】
図１１Ａは、２つの区画１１５、１１６からのＮＯドナー成分および放出活性化流体を混合する前の、図９に示すタイプのパッチ１１ａおよび多重区画装置１１ｂを含むパッチシステムの斜視図である。流出口１１７の矢印は、図１１Ｂに示すように、多重区画装置１１ｂをどのようにしてパッチ１１ａの流入口１１０と連結させるかを示す。図１１Ｂは、前述のような、多重区画装置１１ｂ中でＮＯドナー成分および放出活性化流体を混合した後の図１１Ａのパッチシステムの斜視図である。活性化されたＮＯ放出流体を、パッチおよび吸収材コアまたはリザーバ１１２中に、多重区画装置１１ｂの流出口１１７およびパッチ１１ａの流入口１１０を通って導入し、図中、流れを矢印１１９により示す。充填中に、図１１Ａおよび図１１Ｂに概略的に示すバルブ１１１により、漏れを軽減または回避できる。活性化された流体をパッチ１１ａに移し、多重区画装置１１ｂを除去し、バルブ１１１を閉じると、パッチ１１ａは患者に適用できる状態になる。
【００７４】
図１２Ａは、多重区画配置においてＮＯドナー成分および活性化剤を含む、さらに別のパッチ１２の斜視図である。図１２Ｂは、図１２で線Ａ−Ａに沿って示されるパッチ１２の断面図である。パッチ１２は例えばアルミ箔などの不透過性フィルムにより分割された、第１区画１２２および第２区画１２３を封入する。第１区画１２２はＮＯドナー化合物を封入し、第２区画１２３は活性化流体を含む。不透過性フィルムに取り付けられたストリップ１２１を引くことにより、区画間の不透過性フィルムを除去することができる。このようにして、使用者にとって活性化は容易に達成され、パッチ１２は適用できる状態になる。
【００７５】
図１３は、破壊可能な多重区画配置１３２中でＮＯドナー成分１３１および活性化剤１３０を含むさらに別のパッチ１３の斜視図である。外力により中間に配置されたシールを破ることによって、２つの区画を互いに接続させることができる。ＮＯ放出流体をこのようにして活性化することができ、この場合、パッチ１３も振とうして、２つの成分を激しく混合することができる。剥離ライナを次にパッチ１３のＮＯ透過性膜から取り外し、パッチは適用できる状態になる。
【００７６】
図１４は、様々な区画１４２ａ〜ｄに対応する様々な治療領域にパッチの活性化部分を細分する、多重区画を有するパッチ１４の斜視図である。区画１４２ａ〜ｄのそれぞれは他の区画から分割され、それぞれ流体連通口１４１ａ〜ｄを通して進入可能である。このようにして、区画１４２ａ〜ｄがＮＯドナー化合物を封入するどうかによって、区画にＮＯ放出流体または活性化流体を順次充填することにより、パッチの活性使用時間を延長することができる。区画は図示されたのと異なる幾何学的配置であってよく、例えば治療部分が区画のそれぞれで覆われるように交互配置になっていてもよい。この実施形態により、ＮＯドナー化合物から放出されるＮＯの有用な量があらかじめ規定された閾値まで減少する場合、この区画を続いて活性化することによって、治療時間を向上させることができる。例えばＮＯ放出が閾値より低い区画の表面の色を変えることによって、この閾値を表示することができる。ＮＯが使用されたことを使用者に表示するために、パッチは、パッチの最上層上に活性インジケーターを含むことができる。
【００７７】
図１５は、パッチ１５が適用される皮膚へ、そして皮膚からの流体の通路１５２を有するパッチ１５の斜視図である。パッチは、互いに、そして２つのポート１５１、１５３に流体接続する隣接区画１５０から構成されている。前述のように、パッチ１５にＮＯ放出流体を充填するか、または活性化する。創傷に適用された場合、パッチ１５は、例えばパッチの裏面上に適用される交換可能な吸収材への通路１５２を通る浸出液を通過させる。
【００７８】
局所ＮＯ送達システムの基部は、吸収材コアまたはリザーバであり、ここでは、使用される送達システムの活性化により、ＮＯドナーおよび活性化流体の活性混合物が得られる。これにより、装置上にドナーが均一に分散され、ドナーが安定に格納され、治療の間、均一な放出が保証される。
【００７９】
ドナー粉末ならびに活性化溶液を両方とも含むＮＯドナーシステムは同じ場合に皮膚に対して刺激性である可能性があり、したがって選択的膜を吸収材コアと皮膚との間に配置することができる。
【００８０】
ＮＯ送達システム成分、例えばＮＯ透過性膜の一つの機械的特性は、これらが柔軟性であり、したがって皮膚表面に適合して、良好な接触を確実にすることができることである。
【００８１】
ＮＯ放出膜材料は、ＮＯについて選択的に透過性である。すなわち、ＮＯの皮膚への透過が可能であり、一方、他の成分の膜の通過は最小限に抑えられる。
【００８２】
ＮＯ放出を治療部位へ向けるために、不透過性材料の上部カバー、例えばＰＥ／ＰＵＲの厚い層を使用することができる。このカバーはまた、気体状態におけるＮＯの分圧が増加するので、流体中のＮＯ濃度を増加させる。
【００８３】
流体システム
流体を局所パッチシステムに添加することは、例えば次の方法で行うことができる：
・上部カバー中に閉鎖可能な蓋を有することにより行い、この蓋を通してすべての流体をパッチ中に注入することができる。蓋を次に閉じ、装置を皮膚に取り付ける。図４Ａおよび図４Ｂを参照のこと。
・これを通して流体をパッチパウチ中へ挿入できる一方向バルブを追加することにより行う。図６Ａおよび図６Ｂを参照のこと。ＮＯドナー化合物をパウチ中に統合する場合、パウチ中のＮＯドナー化合物からのＮＯの放出を活性化することができるすべてのもの、例えば水分、空気、酸素を、その製造中にパウチから抽出する。場合により、パウチに不活性物質を充填することができる。貯蔵後、パッチを活性化するために、バルブを通して活性化流体をパウチ中に注入し、吸収材コア中に吸収させると、ＮＯ放出が活性化され、パッチは薬物治療または美容整形について「活性」である。流体をこの部分の上に均一に塗布するために、ウィッキング層を提供するのが有利であり得る。
・パッチ中のＮＯドナーの一体化型第１リザーバであって、流体から離れて密封されて配置されているものを有することにより行う。流体を吸収材コアと併せて一体化することができるか、または別の第２リザーバ中に一体化することができる。使用前に、第１リザーバおよびできれば第２リザーバを操作して開放する。例えばリザーバを圧搾することにより破壊する。ＮＯドナーは分散し、活性化流体と接触するようになり、ＮＯ放出が始まる。
・吸収材コアにｐＨ調節機能を加えることによるか、または吸収材コア自体がこの能力を有するので、ドナーと混合される流体は不活性であり、ドナー流体が吸収材コアと接触する場合にのみ、システムは適切なｐＨとバランスとなり、ＮＯ放出が開始される。
【００８４】
流体の混合、すなわち、例えば粉末の形態で提供される活性化流体のＮＯドナー化合物との混合に関して、多くの実施形態を次に記載する。混合は、パッチからＮＯの有効な制御放出を得るためにＮＯドナー化合物が均一に分散するような方法で行う。様々な実施形態は、特に次のものを含む。
・ＮＯドナー化合物を乾燥形態で提供し、パッチとは別に前溶解流体をＮＯドナー化合物と混合して、ＮＯドナーを有効に溶解させ、あらかじめ溶解させたＮＯドナー流体を得る。
ｏあらかじめ溶解させたＮＯドナー流体をパッチに添加し、ここでパッチ内部の成分、例えば吸収材コアにＮＯ放出活性化流体を含浸させる。コレにより、ＮＯの効果的な制御放出がパッチにおいて活性化される。
ｏ別法として、あらかじめ溶解させたＮＯドナー流体をＮＯ放出活性化流体に添加するか、またはその逆で、ＮＯ放出流体を得る。ＮＯ放出流体をパッチに、すなわちパッチ内部の成分、例えば吸収材コアに添加し、このようにしてＮＯ放出流体を含浸させる。これにより、パッチからＮＯの効果的な制御放出が得られる。
・ＮＯドナー化合物および固体活性化成分をパッチ中に乾燥形態で、例えば吸収材コア中に組み入れられた繊維または粉末として提供する。パッチの使用に際して乾燥パッチに流体を添加し、その結果、固体活性化成分を流体中に溶解させ、このようにしてＮＯドナー化合物からのＮＯ放出を活性化させる。
・ＮＯドナー化合物を乾燥形態で提供し、前溶解および活性化流体を含む流体と、または活性化流体のみと混合する。ＮＯドナー化合物からのＮＯ放出が活性化されている混合物をパッチに添加して、パッチからＮＯを放出させる。
【００８５】
局所パッチのさらに別の特徴
局所パッチのいくつかの実施形態は、次の特徴を含むことにより強化された機能を有する。
・交換可能な吸収材物質を提供して、治療される皮膚に向いた層が治療の間安定しており、交換する必要がないようにする。これは創傷治療の部分内の特定の条件において重要な特徴である。
・吸収材コア上に流体を容易に分散するためのウィッキングシステムをパッチ中に提供する。このようなウィッキングシステムは、例えば、流体が吸収材中へと通過する前にパッチ中に流体を分散するような構造である層の形態で提供することができる。
・パウチ中への流体方向を制御するバルブを有する流体パウチの形態でパウチを提供することができ、置換ガスをパウチから流出させる。
・流体の均一な分布が得られることを保証するために、パウチに異なる区域を設ける。加えて、パッチ内の異なる治療部位を異なる区域により設けることができる。
・吸収材コアを、流体を吸収し、これを封入するように適合された様々な物質で作製することができる。このような物質の例は、超吸収物質、例えばＳＡＰおよび／またはＳＡＦをその中に含むもの、または親水性フォーム、またはヒドロゲルである。
【００８６】
パッチは３つの層、すなわち活性化ウィンドウを有するバッキング、リザーバとしての吸収材コアおよび皮膚に向けられた接着層を有するＮＯ透過性膜を有する。ＮＯドナーを、活性化ウィンドウを通して適用する前に溶液として装置中に適用する。活性化後にウィンドウを閉鎖し、ＮＯの分圧、したがって溶解したＮＯ濃度を増加させるために、蓋およびバッキングはＮＯについて不透過性である。パッチを治療される部分上に接着層で固定し、この接着層はまた治療の間中の十分な接触を保証する。生成されたＮＯはパッチ内を移動し、ＮＯ透過性膜を通って治療される部分に漏れ出すことができる。治療の必要性に応じて、パッチ放出曲線をそれに応じて選択する。
【実施例】
【００８７】
【実施例１】
【００８８】
強化用量パッチ
パッチは、例えば０．０１〜１００μｍｏｌ／（ｃｍ２分）、例えば０．１μｍｏｌ／（ｃｍ２分）などの高いＮＯ投与レベルを有する。これは短い使用期間、およそ１０分から最高２時間まで、例えば１時間の使用期間を有する。用量曲線においてこの強度および長さを得るために、十分な量のＮＯドナー、例えば０．０１〜１０ｍｇ／ｃｍ２、例えば０．１ｍｇ／ｃｍ２を用いる必要がある。活性化流体において低いｐＨ、ｐＨ６未満、例えばｐＨ５が必要である。必要な緩衝液の体積は、使用されるＮＯドナー量に依存する。０．１ｍｇＮＯドナー／ｃｍ２パッチについて、緩衝液強度に応じて、０．１〜０．４ｍＬ／ｃｍ２を有する必要がある。皮膚との十分な接触を保証するために、接触増進層を使用する。
【実施例２】
【００８９】
大用量パッチ
パッチは中程度のＮＯ投与レベル、例えば０．００１〜１０μｍｏｌ／（ｃｍ２分）、例えば０．０５μｍｏｌ／（ｃｍ２分）を有する。これは６〜１２時間、例えば８時間の延長された使用期間を有する。用量曲線においてこのような強度および長さを得るために、十分な量のＮＯドナー、例えば０．０１〜１０ｍｇ／ｃｍ２、例えば０．２ｍｇ／ｃｍ２を使用する必要がある。加えて、活性化流体において中性から若干酸性のｐＨ、例えばｐＨ７が必要である。必要な緩衝液の体積は、使用するＮＯドナー量に依存する。パッチ１ｃｍ２あたり０．２ｍｇのＮＯドナーについては、緩衝液強度に応じて、０．２〜０．８ｍＬ／ｃｍ２である必要がある。皮膚との十分な接触を保証するために、接触増進層を使用する。
【００９０】
パッチが有利である治療および療法は例えば次のものである。
【００９１】
末梢神経障害の治療、
糖尿病性潰瘍の治療、
創傷の手当、例えば手術後の治癒支援、
感染予防および治療、
瘢痕軽減、皮膚の引き上げなどをはじめとする化粧用途、
例えば爪甲真菌症または混合感染症の抗真菌治療、
例えばいぼ治療のための抗ウィルス治療。
【００９２】
パッチはヒトまたは獣医用医薬に適している。
【００９３】
キットは、有利な方法で前述の記載事項にしたがっていくつかの成分を含み得る。
【００９４】
パッチはある実施形態の医薬を考慮することができる。
【００９５】
一酸化窒素の使用は、いくつかの実施形態にしたがってパッチを製造するために提供することができる。
【００９６】
本明細書において用いられる場合、単数形「ａ」、「ａｎ」および「ｔｈｅ」は、特に別段の記載がなければ、複数の形態も包含することが意図される。「包含する」、「含む」、「包含している」および／または「含んでいる」という用語は、本明細書において用いられる場合、記載された特徴、整数、工程、操作、要素、および／または成分の存在を特定するが、１つ以上の他の特徴、整数、工程、操作、要素、成分、および／またはその群の存在または付加を除外するものではないとさらに理解されるであろう。要素が別の要素と「接続」または「結合」していると記載されている場合、これを他の要素と直接接続することができるか、または介在する要素が存在し得ると理解される。さらに、本明細書において用いられる「接続した」または「結合した」とは、無線で接続または結合していることを包含し得る。本明細書において用いられる場合、「および／または」という用語は、関連する列挙された事項の１つ以上のありとあらゆる組み合わせを包含する。
【００９７】
特に別段の定めがない限り、本明細書において用いられるすべての用語（技術用語および科学用語を包含する）は、本発明が属する分野の当業者が通常理解するのと同じ意味を有する。一般的に使用される辞書で定義されるような用語は、関連する分野の状況におけるその意味と一致する意味を有すると解釈すべきであり、本明細書において明らかにそのように定義されないかぎり、理想化されたか、または過度に形式的な意味で解釈されない。
【００９８】
本発明を特定の実施形態に関連して記載した。しかし、前述とは別の実施形態も本発明の範囲内で等しく可能である。ハードウェアまたはソフトウェアにより方法を実施する、前述と異なる方法工程を本発明の範囲内で提供することができる。本発明の異なる特徴および工程を記載されたものと異なる組み合わせと組み合わせることができる。本発明の範囲は添付された特許請求の範囲によってのみ限定される。
【図１】
2010522050.tif 000003
【図２Ａ】
2010522050.tif 000004
【図２Ｂ】
2010522050.tif 000005
【図２Ｃ】
2010522050.tif 000006
【図２Ｄ】
2010522050.tif 000007
【図３Ａ】
2010522050.tif 000008
【図３Ｂ】
2010522050.tif 000009
【図３Ｃ】
2010522050.tif 000010
【図４Ａ】
2010522050.tif 000011
【図４Ｂ】
2010522050.tif 000012
【図５】
2010522050.tif 000013
【図６Ａ】
2010522050.tif 000014
【図６Ｂ】
2010522050.tif 000015
【図７Ａ】
2010522050.tif 000016
【図７Ｂ】
2010522050.tif 000017
【図８】
2010522050.tif 000018
【図９】
2010522050.tif 000019
【図１０】
2010522050.tif 000020
【図１１Ａ】
2010522050.tif 000021
【図１１Ｂ】
2010522050.tif 000022
【図１２Ａ】
2010522050.tif 000023
【図１２Ｂ】
2010522050.tif 000024
【図１３】
2010522050.tif 000025
【図１４】
2010522050.tif 000026
【図１５】
2010522050.tif 000027
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
一酸化窒素に対して実質的に不透過性であり、送達装置中で一酸化窒素が放出される間の一酸化窒素濃度の損失を制限するように配置および構成されたバッキング層（１００）と、
治療される部位に向いている前記送達装置を利用する一酸化窒素透過性層（３００）であって、一酸化窒素について透過性である一酸化窒素透過性層（３００）と、
一酸化窒素放出流体を含む一酸化窒素生成システムであって、前記一酸化窒素放出流体は一酸化窒素ドナー化合物および活性流体を含んでおり、前記活性流体は、前記局所的一酸化窒素送達装置に含まれる前記一酸化窒素ドナー化合物から一酸化窒素の放出を活性化するためである、一酸化窒素生成システムと、
その中の一酸化窒素の分圧または濃度の増加により、前記一酸化窒素放出流体から放出される一酸化窒素が前記送達装置内で一酸化窒素透過性層（３００）を通って皮膚部分に向かうような方法で、その中に一酸化窒素を放出する流体を保持するように配置された、前記バッキング層（１００）と前記一酸化窒素透過性層（３００）との間の吸収層（２００）と、
を含んでおり、
前記一酸化窒素透過性層（３００）は、前記一酸化窒素生成システムの毒性または刺激性化合物が、一酸化窒素の輸送の間、前記一酸化窒素透過性層（３００）を介して輸送されるのを防ぐようになされている保護バリアであって、
前記バッキング層（１００）が、活性化ウィンドウといった、再密閉可能な、または閉鎖可能な開口部を含んでおり、
前記開口部または液体連通口によって、流体が前記装置内へ進入する、局所一酸化窒素送達装置。
【請求項２】
前記バッキング層（１００）が、前記局所一酸化窒素送達装置における前記流体の一酸化窒素分圧または濃度の前記増加をもたらすように工夫されている、請求項１に記載の局所一酸化窒素送達装置。
【請求項３】
前記吸収層（２００）が、ゲル化物質ゲルベースの吸収システムを含む、請求項１または２に記載の局所一酸化窒素送達装置。
【請求項４】
前記吸収層（２００）が完全に濡れていること、
前記一酸化窒素透過性層（３００）が一酸化窒素についてのみ透過性であること、
前記装置が０．０１〜１００μｍｏｌ／（ｃｍ２分）、例えば０．１μｍｏｌ／（ｃｍ２分）の、または０．００１〜１０μｍｏｌ／（ｃｍ２分）、例えば０．０５μｍｏｌ／（ｃｍ２分）の一酸化窒素投与レベルを提供するように構成されていること、
前記装置が、０．０１〜１０ｍｇ／ｃｍ２、例えば０．１ｍｇ／ｃｍ２、または０．２ｍｇ／ｃｍ２の範囲の一酸化窒素ドナー化合物量を含むこと、
前記装置が、無水、無酸素、および／または光不透過性であるパッケージを含むこと、
前記一酸化窒素透過性層（３００）が、一酸化窒素について十分な透過性を有する、中度もしくは低度の高水蒸気伝達率（ＭＶＴＲ）物質、シリコン、コポリマー、ＥＶＡ、ＰＴＦＥ、またはＰＵＲで作られていること、
の少なくとも一つを構成する請求項１〜３のいずれか一項に記載の局所一酸化窒素送達装置。
【請求項５】
前記吸収層（２００）が、６０％超、例えば８０％または９０％超の流体含有量を含む、請求項４に記載の局所一酸化窒素送達装置。
【請求項６】
前記一酸化窒素透過性層（３００）が、皮膚接触増進層を含むか、皮膚接触増進層に隣接して配置されているか、または固有の皮膚接触増進特性を有しており、一酸化窒素について透過性であるので、使用に際して十分な皮膚接触をもたらす、請求項１〜５のいずれか一項に記載の局所一酸化窒素送達装置。
【請求項７】
前記皮膚接触増進層が、使用に際して前記増進層との間に良好な接触をもたらし前記一酸化窒素透過性層（３００）と前記皮膚部分との間に良好な接触をもたらす接着層、例えばシリコーンゲル層、粘着剤（ＰＳＡ）、またはヒドロゲル層である、請求項６に記載の局所一酸化窒素送達装置。
【請求項８】
活性化流体を受容し、前記活性化流体を前記一酸化窒素ドナー化合物へと向かわせる、流体方向付システムを含んでおり、この流体方向付システムが、分散システムの形態であり、前記活性化流体を受容するための少なくとも１つの流体接続口を含む、請求項１に記載の局所一酸化窒素送達装置。
【請求項９】
活性化流体を使用前に前記装置から分離して貯蔵する、請求項１に記載の局所一酸化窒素送達装置。
【請求項１０】
前記吸収材層の少なくとも一部が前記開口部を通して交換可能である、請求項１に記載の局所一酸化窒素送達装置。
【請求項１１】
局所送達のために請求項１から１０のいずれか一項に記載の一酸化窒素送達装置中に一酸化窒素を供給する方法であって、
前記装置の一酸化窒素透過性層（３００）の透過性を前記装置内の一酸化窒素ドナーシステムの毒素レベルに応じて選択的に選択することと、
前記一酸化窒素送達装置中の前記一酸化窒素ドナーシステムからの一酸化窒素放出を活性化することと、
前記活性化した前記一酸化窒素送達装置が身体の皮膚部分と接触させて配置されるとき、前記送達装置の一酸化窒素透過性層（３００）を前記皮膚部分に向けることと、
前記一酸化窒素送達装置の内部から、前記選択的に選択された透過性を有する前記一酸化窒素透過性層（３００）へ、局所的に一酸化窒素を送達することと、
を含む、方法。
【請求項１２】
一酸化窒素の前記送達のために、前記一酸化窒素送達装置中の溶解した一酸化窒素の分圧および濃度が増加するように、前記一酸化窒素ドナーシステムから前記一酸化窒素を放出することを含む、請求項１１に記載の方法。
【請求項１３】
前記選択的に選択される透過性を有する前記一酸化窒素透過性層（３００）を通過したときに、一酸化窒素について透過性である皮膚接触増進層に前記一酸化窒素を送達することを含む、請求項１２に記載の方法。
【請求項１４】
前記一酸化窒素ドナーシステムが、前記一酸化窒素ドナーシステムの一酸化窒素ドナー化合物と相互作用し、前記一酸化窒素ドナー化合物が前記装置から外へ移動するのを最小限に抑えることを保証し、その中で沈殿した後の前記一酸化窒素ドナー化合物の残留物を捕捉する吸収材ユニットを含む、請求項１２に記載の方法。
【国際調査報告】
2010522050.tif 000028
2010522050.tif 000029
2010522050.tif 000030
2010522050.tif 000031